(57)【要約】【課題】球体を利用したロフト角度、ライ角度、フェース角度、の各角度調整機能付きゴルフパターに関して、各角度の設定がゴルフ規定範囲内に収まるように調整する必要がある。【解決手段】球体を利用した各角度調整機能付きパターに、各角度調整範囲設定装置を付け加えた装置を提供する。球体上にピン又は、球体を変形させた突起部を取り付けその周りに溝状又は、穴状の隙間を設けて取り囲こみピン又は、突起部を隙間の範囲でしか動作できないようにした装置である。【選択図】図５
2013146510.tif 000002
【特許請求の範囲】
【請求項１】
球体を利用した、ライ角度、ロフト角度、フェース角度、の各角度調整機能付ゴルフパターに関して、その角度調整範囲を設定できる装置である。
（１）球体を利用した各角度調整機能に付属部品を取り付けることで対応し各角度調整範囲設定装置として機能するように球体上に０．５ミリから９０ミリの高さの複数のピン又は、球体を変形させた突起部を設けた。
（２）複数のピン又は、球体を変形させた突起部に対し溝状又は、穴状の隙間を設けその周りを取り囲こみピン又は、突起部を隙間の範囲でしか動作できなくした装置である。
【請求項２】
球体を利用した、ライ角度、ロフト角度、フェース角度、の各角度調整機能付ゴルフパターにおいて、上記の各角度調整範囲設定装置に共有の部品を使用することで一体構造を形成する、本体に取り付けたネジを締めると上下方向に押し広げる部品が球体を一時固定する装置である。
【発明の詳細な説明】
【技術分野】
【０００１】      本発明は、球体を利用したロフト角度、ライ角度、フェース角度、の各角度が設定できるゴルフパターに関して、各角度がゴルフ規定に適合するように規定範囲内に各角度を設定し保持できる装置を提供する。
【背景の技術】
【０００２】      ゴルフパターにおいて、ライ角度、ロフト角度、フェース角度、の各角度の調整手段として、従来の方法はパターを角度測定器付専用台座に固定し角度を計りながら専用治具を使用し手動操作で曲げ規定範囲内に設定する。
【発明の概要】
【発明が解決しようとする課題】
【０００３】      ゴルフパターに関して、ゴルフ規定には各角度の規定が精細に記載されている。
そこで、専用治具を使用しないで各角度調整が常にゴルフ規定範囲内になる機構が求められる。
【課題を解決するための手段】
【０００４】      各角度調整に球体を利用したゴルフパターにおいて、球体上に複数のピン又は球体を変形させた突起部を設けその突起部分を溝状又は、穴状に隙間をあけ取り囲む装置を設ける。
この装置は球体が回転運動すると複数のピン又は、突起部分を取り囲まれているので隙間の範囲でのみ動作できる。
上記の装置でゴルフ規定に適合した各角度の隙間の巾を設定することで解決できた。
【発明の効果】
【０００５】    ゴルフパターに関して、各プレイヤーに合った各角度が個々の技術を飛躍的に向上できることは周知の事実であるが、しかしながらカスタムフィッテングしてメイドすると高価なものとなる。
各角度調整範囲設定付ゴルフパターを使用すれば、各コースのグリーン状態に合った変更がその場で調整でき、速いグリーンに対してはロフト角度を少なく反対に遅いグリーンではロフト角度を多するなどゴルフ規定範囲内に設定できしかも、ゴルフ規定の角度の数値が変更されても一部の部品を換えることで安価に対応できる。
【図面の簡単な説明】
【０００６】
【図１】本発明の実施例装置を示す側面の断面図である。
【図２】本発明の実施例装置を示す正面の断面図である。
【図３】本発明の実施例装置を示す側面の断面図で底部にピンを用いた装置である。
【図４】本発明の実施例装置を示す平面の断面図で底部に調整穴を設けた装置である。
【図５】本発明の実施例装置を示す側面の断面図で各角度調整範囲設定装置と球体固定装置を一体にした装置である。
【符号の説明】
【０００７】１．    球体
２．    パター
３．    パターのフェース面
４．    隙間をあけてピンを取り囲む部品
５．    ピン又は、突起物
６．    円柱の本体部
７．    隙間をあけてピンを取り囲む調整穴
８．    球体軸
９．    プラスのロフト角度
１０．  マイナスのロフト角度
１１．  底部に設置した装置の角度範囲設定ピン
１２．  底部に設置した装置のプラスのロフト角度
１３．  底部に設置した装置のマイナスのロフト角度
１４．  底部に設置した装置のアップのライ角度
１５．  底部に設置した装置のダウンのライ角度
１６．  ネジ
１７．  下方向に押し広げる部品
１８．  シャフト
１９．  隙間の巾はプラスのロフト角度
２０．  隙間の巾はマイナスのロフト角度
２１．  隙間の巾はアップのライ角度
２２．  隙間の巾はダウンのライ角度
２３．  アップのライ角度
２４．  ダウンのライ角度
【発明を実施するための形態】
【０００８】以下、図面に基づいて、本発明の実施形態である角度調整範囲設定装置について説明する。
図１は、本発明の実施形態であり側面の断面図となっており、円柱の本体部６におさまった球体１を回転させると球体軸８を介してパター２のロフト角度、ライ角度、フェース角度、が自由に設定できるが、球体１の上部に取り付けたピン又は突起部５が球体１と連動して動くこの動きに対して、隙間をあけてピン又は、突起部５を取り囲む部品４が取り付けてあるので動きが制約されしかも、部品４の隙間の形状でピン又は、突起部５の動く範囲を決めることが可能でありロフト角度を大きくする隙間の巾１９それとは反対に角度を小さくする隙間の巾２０で範囲を設定する。
【０００９】図２は実施形態の図１の正面の断面図である。
円柱の本体部６におさまった球体１を回転させると球体軸８を介してパター２のロフト角度、ライ角度、フェース角度が自由に設定できるが、球体１の上部に取り付けたピン又は、突起部５が球体１と連動して動くこの動きに対して、隙間をあけてピン又は突起部５を取り囲む部品４が取り付けてあるので動きが制約されしかも部品４の隙間の形状でピン又は、突起部５の動く範囲を決めることが可能でありライ角度を上げる隙間の巾２３それとは反対に下げる隙間の巾２４で範囲を設定する。
【００１０】図３は側面の断面図で複数のピン５を円柱の本体部６の下部に設けた実施形態である。
円柱の本体部６におさまった球体１を回転させると球体軸８を介してパター２のロフト角度、ライ角度、フェース角度が自由に設定できるが球体１の下部に取り付けたピン又は、突起部５は球体１と連動して動くこの動きに対して、隙間をあけてピン又は、突起部５を取り囲む調整穴７があけてあるので動きの範囲が制約できる装置である。
【００１１】図４は、円柱の本体部６の下部に設けた調整穴７の平面図である。
円柱の本体部６におさまった球体１に付いている球体軸８が前後左右に自由に動けるが球体１下部に取り付けたピン又は、突起部１１は調整穴７の隙間の巾内のみ動かせるロフト角度を大きくする調整範囲１２反対に小さくする場合１３が調整範囲となるのと同様にライ角度を上げる調整範囲１４反対に下げる場合１５が調整範囲となる。
【００１２】図５は、図１及び図２にある角度調整範囲設定装置と同様の実施形態であるが、ネジ１６を締めことにより下方向に押し広げる部品１７が共有部品であり隙間をあけてピンを取り囲む部品４を球体１に押し付け一時球体１を固定する装置である。
【図１】
2013146510.tif 000003
【図２】
2013146510.tif 000004
【図３】
2013146510.tif 000005
【図４】
2013146510.tif 000006
【図５】
2013146510.tif 000007